(57)【要約】【課題】ワイヤハーネス分岐部の保護構造を簡単な作業で作製でき、かつ、支線の径が異なっても容易に対応できるようにする。【解決手段】ワイヤハーネスの幹線と支線とのＴ字状の分岐部分に、裏面に粘着層を有する保護シートを巻き付け固着しており、前記保護シートは十字形状として縦方向部分と横方向部分との連続部は、両端から切り込みを入れていると共に中央部に縦横連続部を設けた形状とされ、前記縦横連続部を前記分岐側と反対側の幹線の外周面に巻き付けて、両側の横方向部分を分岐部両側の幹線の外周面全面にそれぞれ寿司巻きして固着する一方、縦方向部分の両側を分岐部の幹線から支線にかけて、対向する半周の外周面にそれぞれ固着し、支線の両側で前記縦方向部分の両側を貼り合わせ固着して、分岐位置の幹線及び支線の全外周面を前記保護シートで被覆している。【選択図】図３
2007288898.tif 000002
【特許請求の範囲】
【請求項１】
コルゲートチューブに挿通したワイヤハーネスの幹線から分岐する支線を、該コルゲートチューブの軸線方向中間のスリットあるいは挿通孔より引き出しているワイヤハーネス分岐部の保護構造であって、
前記ワイヤハーネスの幹線と支線とのＴ字状の分岐部分に、裏面に粘着層を有する保護シートを巻き付け固着しており、
前記保護シートは十字形状として縦方向部分と横方向部分との連続部は、両端から切り込みを入れていると共に中央部に縦横連続部を設けた形状とされ、
前記縦横連続部を前記分岐側と反対側の幹線の外周面に巻き付けて、両側の横方向部分を分岐部両側の幹線の外周面全面にそれぞれ寿司巻きして固着する一方、縦方向部分の両側を分岐部の幹線から支線にかけて、対向する半周の外周面にそれぞれ固着し、支線の両側で前記縦方向部分の両側を貼り合わせ固着して、分岐位置の幹線及び支線の全外周面を前記保護シートで被覆していることを特徴とするワイヤハーネス分岐部の保護構造。
【請求項２】
前記保護シートは、前記ワイヤハーネスの幹線および支線のサイズが相違しても共用できる大きさに設定している請求項１に記載のワイヤハーネス分岐部の保護構造。
【発明の詳細な説明】
【技術分野】
【０００１】
本発明は、コルゲートチューブに挿通したワイヤハーネス分岐部の保護構造に関し、詳しくは、コルゲートチューブに挿通したワイヤハーネスの幹線から分岐する支線を、該コルゲートチューブの軸線方向中間のスリットあるいは挿通孔より引き出す際に、スリットの両側縁や挿通孔周縁のエッジに支線が接触して損傷が生じるのを防止するものである。
【背景技術】
【０００２】
自動車に配索される多数の電線群からなるワイヤハーネスは、これら電線群を集束すると共に保護するためにテープ巻きされている場合が多いが、近時、屈曲可能なコルゲートチューブに通して電線群の集束保護をする場合が増加している。
【０００３】
前記コルゲートチューブをワイヤハーネスの幹線から支線が分岐する分岐部に外装する場合には、幹線に１つのコルゲートチューブを外装すると共に、外装したコルゲートチューブの軸線方向の中間に設けたスリットあるいは挿通孔から支線を引き出し、引き出した支線に他のコルゲートチューブを外装している。
しかしながら、コルゲートチューブから引き出した支線がスリット両側縁や挿通孔周縁のエッジと接触してしまい電線が損傷してしまうおそれがある。
【０００４】
前記問題を解決するため、特開２０００−１６６０５４号公報（特許文献１）において、図７に示すワイヤハーネス分岐部の保護構造が提供されており、ワイヤハーネスＷ／Ｈの幹線１にコルゲートチューブ３を外装し、該コルゲートチューブ３に設けた挿通孔４に環状部材５を嵌め込んで、挿通孔４から引き出した支線２を環状部材５に通している。これにより、支線２と挿通孔４の周縁との間に環状部材５を介在させ、支線２と挿通孔４の周縁のエッジとが直接接触しないようにしている。
【０００５】
しかしながら、特許文献１で提供されている構造であると、ワイヤハーネスの支線２をコルゲートチューブ３の挿通孔４から引き出した状態で環状部材５を挿通孔４に取り付けなければならず、取付作業が煩雑になる問題がある。
また、環状部材５は形状が定まっているため、支線２の径に対して環状部材５の径が小さいと環状部材５に支線２を通すことができず、逆に支線２の径に対して環状部材５の径が大きいと取付後にスペースをとって邪魔になる。よって、環状部材５を支線２の径に合わせて複数種類作製しなければならず、部品点数が増加する問題がある。
【０００６】
【特許文献１】特開２０００−１６６０５４号公報
【発明の開示】
【発明が解決しようとする課題】
【０００７】
本発明は前記問題に鑑みてなされたものであり、ワイヤハーネス分岐部の保護構造を簡単な作業で作製でき、かつ、支線の径が異なっても容易に対応できるようにすることを課題としている。
【課題を解決するための手段】
【０００８】
前記課題を解決するため、本発明は、コルゲートチューブに挿通したワイヤハーネスの幹線から分岐する支線を、該コルゲートチューブの軸線方向中間のスリットあるいは挿通孔より引き出しているワイヤハーネス分岐部の保護構造であって、
前記ワイヤハーネスの幹線と支線とのＴ字状の分岐部分に、裏面に粘着層を有する保護シートを巻き付け固着しており、
前記保護シートは十字形状として縦方向部分と横方向部分との連続部は、両端から切り込みを入れていると共に中央部に縦横連続部を設けた形状とされ、
前記縦横連続部を前記分岐側と反対側の幹線の外周面に巻き付けて、両側の横方向部分を分岐部両側の幹線の外周面全面にそれぞれ寿司巻きして固着する一方、縦方向部分の両側を分岐部の幹線から支線にかけて、対向する半周の外周面にそれぞれ固着し、支線の両側で前記縦方向部分の両側を貼り合わせ固着して、分岐位置の幹線及び支線の全外周面を前記保護シートで被覆していることを特徴とするワイヤハーネス分岐部の保護構造を提供している。
【０００９】
前記構成によれば、十字形状の保護シートを延在方向の異なるワイヤハーネスの幹線と支線に対して固着方法の異なる寿司巻きと張り合わせによりそれぞれ被覆しているため、Ｔ字状に分岐しているために１枚のシートで被覆するのが困難な分岐部であっても、容易に保護シートで分岐部の全外周面を被覆することができる。
このように、分岐部の全外周面を保護シートで被覆しているため、支線をコルゲートチューブのスリットあるいは挿通孔から引き出しても、引き出した支線とスリット両側縁や挿通孔周縁のエッジとが直接接触しないため、支線が損傷するのを防止することができる。
【００１０】
また、前記保護シートは、ワイヤハーネスをコルゲートチューブに通す前にワイヤハーネスに固着するため、該固着作業を容易にすることができる。
さらに、ワイヤハーネスをコルゲートチューブに通す際には、ワイヤハーネスの分岐部の形状を保持するために予め塩ビ等からなるテープを巻き付けているが、前記保護シートはワイヤハーネスを被覆して保護するだけでなく、粘着層によりワイヤハーネスの外周面に張り付けることによりワイヤハーネスの分岐部の形状を保持することもできる。これにより従来必要であったテープ巻きが不要となる。
【００１１】
また、前記保護シートを用いる場合、ワイヤハーネスの幹線や支線の径が異なるものであっても、横方向部分の幹線への巻き付け回数および縦方向部分の両側の貼り合わせ量を調節することにより同一の保護シートで対応することができる。
このように、前記保護シートは、前記ワイヤハーネスの幹線および支線のサイズが相違しても共用できる大きさに設定している。
これにより、複数種類のワイヤハーネスに対して１種類の保護シートを作製すればよく、保護シートの汎用性を高めることができる。
【００１２】
前記保護シートはＰＰやＰＡからなるコルゲートチューブのエッジと干渉しても磨耗したり損傷したりしないＰＶＣ、ＰＰ等の樹脂や繊維からなる。
【発明の効果】
【００１３】
前述したように、本発明によれば、ワイヤハーネスの分岐部の全外周面を保護シートで被覆しているため、支線をコルゲートチューブのスリットや挿通孔から引き出しても、引き出した支線とスリット両側縁や挿通孔周縁のエッジとが直接接触しないため、支線が損傷するのを防止することができる。
また、十字形状の保護シートを延在方向の異なるワイヤハーネスの幹線と支線に対して被覆方法の異なる寿司巻きと張り合わせによりそれぞれ被覆しているため、Ｔ字状に分岐しているために１枚のシートで被覆するのが困難な分岐部であっても、容易に保護シートで分岐部の全外周面を被覆することができる。
さらに、前記保護シートは、ワイヤハーネスをコルゲートチューブに通す前にワイヤハーネスに巻き付けるため、巻付作業をさらに容易にすることができる。
【００１４】
さらにまた、ワイヤハーネスの幹線や支線の径が異なるものであっても、保護シートの横方向部分の幹線への巻き付け回数および縦方向部分の両側の貼り合わせ量を調節することにより同一の保護シートで対応することができる。
【発明を実施するための最良の形態】
【００１５】
本発明の実施形態を図面を参照して説明する。
図１乃至図５は、本発明の実施形態を示し、ワイヤハーネス分岐部の保護構造１０は、自動車に配索するワイヤハーネスＷ／ＨのＴ字状の分岐部の全外周面を後述する保護シート１０で被覆すると共に、コルゲートチューブ３０を外装し、さらに、幹線１に外装したコルゲートチューブ３０と支線２に外装したコルゲートチューブ３１とをテープＴ巻きして固定している。
【００１６】
ワイヤハーネスＷ／Ｈの分岐部を被覆する保護シート２０はＰＶＣからなり、図１に示すように、中央部の縦横連続部２０ａと、該縦横連続部２０ａの上下両端から縦方向に延在する縦方向部分２０ｂと、縦横連続部２０ａの左右両端から横方向に延在する横方向部分２０ｃからなる十字形状としている。縦方向部分２０ｂと横方向部分２０ｃとの連続部には、縦方向に延在する切り込み２１を両端から入れている。また、保護シート２０には、ワイヤハーネスＷ／Ｈに巻き付けたときに内周面側となる裏面全面に粘着層（図示せず）を設けている。
【００１７】
前記保護シート２０は、径の異なるワイヤハーネスにも汎用的に用いられるものである。
よって、縦方向部分２０ｂの幅Ｌ１は、複数種類のワイヤハーネスのうち、支線の径が最大となるものに合わせており、該ワイヤハーネスの支線の半周長さよりも長く設定している。
また、横方向部分２０ｃの幅Ｌ２は、複数種類のワイヤハーネスのうち、幹線の径が最大となるものに合わせており、該ワイヤハーネスの幹線の全周長さよりも長く設定している。
【００１８】
前記ワイヤハーネスＷ／Ｈに外装するコルゲートチューブ３０、３１は、山部と谷部を軸線方向に交互に設けた屈曲性を有する外装保護材である。幹線１に外装するコルゲートチューブ３０には、軸線方向に沿って延在するスリット３２を設けていると共に、軸線方向の中間位置にスリット３２の両側縁を切り欠いて挿通孔３３を設けている。
【００１９】
次に、前記保護シート２０を用いたワイヤハーネス分岐部の保護構造１０の作製方法について説明する。
まず、図２（Ａ）に示すように、布線治具（図示せず）等を用いてワイヤハーネスＷ／Ｈの幹線１から支線２を分岐させ分岐部を作製する。
次いで、このワイヤハーネスＷ／Ｈの分岐部の全外周面を、図２（Ｂ）及び図３に示すように、保護シート２０で被覆する。詳細には、保護シート２０の縦横連続部２０ａを分岐側と反対側の幹線１の外周面に巻き付け、両側の横方向部分２０ｃを、図３（Ｃ）に示すように、分岐部両側の幹線１の外周面全面にそれぞれ寿司巻きして固着する。一方、縦方向部分２０ｂの両側は、分岐部の幹線１から支線２にかけて、対向する半周の外周面にそれぞれ固着し、支線２の両側で前記縦方向部分２０ｂの両側を図３（Ｂ）に示すように貼り合わせ固着する。
【００２０】
次いで、図４に示すように、コルゲートチューブ３０のスリット３２を通してワイヤハーネスＷ／Ｈの幹線１をコルゲートチューブ３０内に挿入し、挿通孔３３から支線２を引き出す。このとき、ワイヤハーネスＷ／Ｈの分岐部には全周に保護シート２０が巻き付けられているため、支線２の電線と挿通孔３３の周縁のエッジとが直接接触しない。
最後に、図５に示すように、支線２の分岐部近傍にも他のコルゲートチューブ３１を外装し、最後にワイヤハーネス分岐部のコルゲートチューブ３０、３１の外周面にテープＴを巻き付けてコルゲートチューブ３０と３１を固定する。
【００２１】
前記構成によれば、ワイヤハーネスＷ／Ｈの分岐部の全外周面を保護シート２０で被覆しているため、支線２をコルゲートチューブ３０の挿通孔３３から引き出しても、引き出した支線２と挿通孔３３の周縁とが直接接触しないため、支線２が損傷するのを防止することができる。
また、十字形状の保護シート２０を延在方向の異なるワイヤハーネスＷ／Ｈの幹線１と支線２に対して被覆方法の異なる寿司巻きと張り合わせによりそれぞれ被覆しているため、Ｔ字状に分岐しているために１枚のシートで被覆するのが困難な分岐部であっても、容易に保護シート２０で分岐部の全外周面を被覆することができる。
さらに、前記保護シート２０は、ワイヤハーネスＷ／Ｈの幹線１をコルゲートチューブ３０に通す前にワイヤハーネスＷ／Ｈに巻き付けるため、巻付作業をさらに容易にすることができる。
【００２２】
なお、前記保護シート２０を前記ワイヤハーネスＷ／Ｈよりも幹線１の径が小さい他のワイヤハーネスに巻き付ける場合には、図６（Ａ）に示すように、保護シート２０の横方向部分２０ｃの巻き付け回数を多くしている。
また、前記保護シート２０を前記ワイヤハーネスＷ／Ｈよりも支線２の径が小さい他のワイヤハーネスに巻き付ける場合には、図６（Ｂ）に示すように、保護シート２０の縦方向部分２０ｂの両側の貼り合わせ量を大きくしている。
【００２３】
このように、ワイヤハーネスＷ／Ｈの幹線１や支線２の径が異なるものであっても、保護シート２０の横方向部分２０ｃの幹線１への巻き付け回数および縦方向部分２０ｂの両側の貼り合わせ量を調節することにより同一の保護シートで対応することができる。
なお、本実施形態では保護シート２０の裏面全面に粘着層を設けているが、例えば、縁部のみ等、部分的にのみ粘着層を設けてもよい。
また、コルゲートチューブに支線引出用の挿通孔を設けていない場合には、スリットから支線を引き出してもよい。
【図面の簡単な説明】
【００２４】
【図１】本発明の実施形態の保護シートを示す図面である。
【図２】（Ａ）（Ｂ）はワイヤハーネスへの保護シートの固着方法を示す図面である。
【図３】ワイヤハーネスの分岐部に保護シートを巻き付け固着した状態を示し、（Ａ）は斜視図、（Ｂ）はＡ−Ａ線断面図、（Ｃ）はＢ−Ｂ線断面図である。
【図４】ワイヤハーネスにコルゲートチューブを外装する状態を示す図面である。
【図５】ワイヤハーネス分岐部の保護構造を示す図面である。
【図６】（Ａ）（Ｂ）は変形例を示す図面である。
【図７】従来例を示す図面である。
【符号の説明】
【００２５】
１  幹線
２  支線
１０  ワイヤハーネス分岐部の保護構造
２０  保護シート
２０ａ  縦横連続部
２０ｂ  縦方向部分
２０ｃ  横方向部分
２１  切り込み
３０、３１  コルゲートチューブ
３２  スリット
３３  挿通孔
Ｗ／Ｈ  ワイヤハーネス
【図１】
2007288898.tif 000003
【図２】
2007288898.tif 000004
【図３】
2007288898.tif 000005
【図４】
2007288898.tif 000006
【図５】
2007288898.tif 000007
【図６】
2007288898.tif 000008
【図７】
2007288898.tif 000009